(57)【要約】【課題】混合水栓の本体部を樹脂化した場合に、本体部に工具を係合させるための係合部を形成しても、美観を保つ。【解決手段】混合水栓Ａは、流し台や洗面台等のカウンターＢに固定され、水用通孔８と湯用通孔９及び湯水通水路１２とが形成された合成樹脂製の本体部１と、該本体部１の上部に装着され、前記水用通孔８と湯用通孔９とから供給される水と湯とを混合し、湯水の温度及び流量を調節して湯水通水路１２へ供給するカートリッジ３と、前記本体部１に結合され、カートリッジ３を本体部１に固定するためのカートリッジカバー４とを備え、前記本体部１の外周面には工具係合用の係合部１６が形成され、本体部１には係合部１６を覆う装飾用カバー１７が着脱自在に装着される。【選択図】  図１
2004150568.tif 000002
【特許請求の範囲】
【請求項１】
流し台や洗面台等のカウンターに固定され、水用通孔と湯用通孔及び湯水通水路とが形成された合成樹脂製の本体部と、該本体部の上部に装着され、前記水用通孔と湯用通孔とから供給される水と湯とを混合し、湯水の温度及び流量を調節して湯水通水路へ供給するカートリッジと、前記本体部に結合され、カートリッジを本体部に固定するためのカートリッジカバーとを備え、前記本体部の外周面には工具係合用の係合部が形成され、本体部には係合部を覆う装飾用カバーが着脱自在に装着されることを特徴とする混合水栓。
【請求項２】
前記装飾用カバーは第１カバーと第２カバーとからなり、互いのカバーに形成された係止爪と係止孔との係合により本体部に着脱自在に装着されることを特徴とする請求項１記載の混合水栓。
【請求項３】
前記装飾用カバーは、第１カバーと第２カバーとを互いに回転自在に連結したことを特徴とする請求項１又は２記載の混合水栓。
【請求項４】
前記本体部は工具係合用の係合部が平面多角形に形成され、該係合部の工具が係合される係合面は、直径方向の互いに向かい合う少なくとも２箇所のそれぞれに係止孔が各一対形成され、前記係合部を覆う装飾用カバーは第１カバーと第２カバーとからなり、両カバーには前記係止孔に係合する係止爪が形成され、両カバーの本体部への装着時に係止孔と係止爪とは外部に露出しないようにしたことを特徴とする請求項１記載の混合水栓。
【請求項５】
前記装飾用カバーの第１カバーと第２カバーとは、互いに同一形状としたことを特徴とする請求項４記載の混合水栓。
【請求項６】
前記装飾用カバーは、メッキ又は着色を施したことを特徴とする請求項１乃至５の何れかに記載の混合水栓。
【発明の詳細な説明】
【０００１】
【発明の属する技術分野】
本発明は、流し台や洗面台等に固定される混合水栓に関する。
【０００２】
【従来の技術】
従来、混合水栓を流し台や洗面台等のカウンターに固定するには、本体部の下部に形成された筒部をカウンターの取付孔に挿通し、カウンターの下部からナットを筒部に形成された雄ねじ部に螺合して締結しているが、この場合、内部に湯水の温度及び流量を調節するための弁要素を備えた弁筒を本体部に螺合したり、ナットの締結により本体部をカウンターに固定する場合に、本体部が回転しないように保持している必要がある。そこで、混合水栓の本体部外周面に工具係合用の凹欠孔を形成し、工具を凹欠孔に係合させることで、本体部が回転しないようにしたものが公知である。（例えば特許文献１参照）
【０００３】
【特許文献１】
実開昭６１−６９５７４号公報（第１頁、第１図）
【０００４】
【発明が解決しようとする課題】
ところが、この混合水栓は工具係合用の凹欠孔が露出しているため見栄えが悪い。また、混合水栓の製造を容易にしてコストダウンを図るために本体部を合成樹脂製とすると、合成樹脂製の本体部は金属と比較して傷が付きやすく、工具を凹欠孔に係合させる際に本体部に触れると、本体部が傷だらけとなってしまい、見栄えが悪くなるものであった。
【０００５】
この発明は、このような従来の技術に存在する問題点に着目したものであり、その目的は、混合水栓の本体部を樹脂化した場合に、本体部に工具を係合させるための係合部を形成しても、美観を保つことである。
【０００６】
【課題を解決するための手段】
本発明は請求項１では、流し台や洗面台等のカウンターに固定され、水用通孔と湯用通孔及び湯水通水路とが形成された合成樹脂製の本体部と、該本体部の上部に装着され、前記水用通孔と湯用通孔とから供給される水と湯とを混合し、湯水の温度及び流量を調節して湯水通水路へ供給するカートリッジと、前記本体部に結合され、カートリッジを本体部に固定するためのカートリッジカバーとを備え、前記本体部の外周面には工具係合用の係合部が形成され、本体部には係合部を覆う装飾用カバーが着脱自在に装着されるものである。
【０００７】
請求項２では、前記装飾用カバーは第１カバーと第２カバーとからなり、互いのカバーに形成された係止爪と係止孔との係合により本体部に着脱自在に装着されるものである。
【０００８】
請求項３では、前記装飾用カバーは、第１カバーと第２カバーとを互いに回転自在に連結したものである。
【０００９】
請求項４では、前記本体部は工具係合用の係合部が平面多角形に形成され、該係合部の工具が係合される係合面は、直径方向の互いに向かい合う少なくとも２箇所のそれぞれに係止孔が各一対形成され、前記係合部を覆う装飾用カバーは第１カバーと第２カバーとからなり、両カバーには前記係止孔に係合する係止爪が形成され、両カバーの本体部への装着時に係止孔と係止爪とは外部に露出しないようにしたものである。
【００１０】
請求項５では、前記装飾用カバーの第１カバーと第２カバーとは、互いに同一形状としたものである。
【００１１】
請求項６では、前記装飾用カバーは、メッキ又は着色を施したものである。
【００１２】
【発明の実施の形態】
以下、本発明の実施の形態を図に基づいて詳細に説明する。
本実施例では、洗面台や流し台のカウンターＢに取り付けられる混合水栓Ａはシングルレバー式であり、図１及び図２に示すように、略円筒状で合成樹脂製の本体部１と、該本体部１の外周面に外嵌され湯水が吐水される金属製の吐水管２と、本体部１の上部に装着され、吐水管２から吐水される湯水の流量及び温度が調節されるカートリッジ３と、本体部１に結合され、カートリッジ３の外周面全体を覆うカートリッジカバー４とを備え、前記カートリッジ３と連繋したレバー５を上下に操作することで、吐水管２から吐水される湯水の吐水と止水及び流量調節が行なわれ、左右へ回転させることで湯水の温度が調節されるものである。
【００１３】
前記本体部１は合成樹脂製であり、略円筒状に一体形成され、本体部１の下端には螺子軸６が固定されている。そして、混合水栓Ａを本体部１をカウンターＢ上に配置した状態で、螺子軸６に対し下部から座金７を挿通し、固定ナット７ａを螺子軸６に螺着することで、本体部１と座金７とによりカウンターＢを挟着することで、混合水栓ＡはカウンターＢに固定されるものである。
【００１４】
本体部１は図３に示すように、上下に貫通して水用通孔８と湯用通孔９とが隣接して形成され、水用通孔８の下端には、該水用通孔８に水を供給するための給水管１０が接続されている。また、湯用通孔９の下端には、該湯用通孔９に湯を供給するための給湯管１１が接続されている。さらに本体部１の内部には、前記カートリッジ３で調節された湯水を吐水管２へ供給するための、湯水通水路１２が形成されている。そして、本体部１の外周面には上下に間隔をおいて２箇所に環状溝１３，１３が形成され、該環状溝１３，１３には例えばＵパッキン，Ｖパッキン等のシール部材１４がそれぞれ装着されている。また、本体部１の上部外周面には雄ねじ部１５が形成されている。
【００１５】
そして、図４に示すように本体部１の下部外周面には係合部１６が形成されており、該係合部１６はスパナ等の工具を係合させることができるように外側面が平面六角形状に形成され、前記カートリッジカバー４を本体部１に結合したり取り外す際に、本体部１が回転しないようにするものである。なお、本実施例では係合部の形状を平面六角形としているが、平面多角形であればどのような形状でもよく、さらに例えばドライバーの先端が係合する溝を外周面の一部に形成して、この溝を係合部としてもよい。
【００１６】
ここで、本体部１の材質として、高圧力の水又は高温の熱湯が通過しても破損することがないように、耐圧性，耐熱性，耐食性等が要求され、しかも安価に製作することのできるＰＰＳ（ポリフェニレンサルファイド）等のエンジニアリングプラスチックである合成樹脂製とすることが望ましい。
【００１７】
前記本体部１には、係合部１６を覆う装飾用カバー１７が着脱自在に装着される。該装飾用カバー１７は係合部１６の側面から嵌合する寸法であり、装飾用のメッキ又は着色が施され、半円筒形の第１カバー１７ａと、該第１カバー１７ａと略同一形状の第２カバー１７ｂとからなり、一方のカバーの両端側面には、縦方向に間隔をおいて係止爪１８，１８が複数個突出して形成され、他方のカバーの両端で内周面側部には、前記係止爪１８，１８と係合する形状の係止孔１９，１９が、両係止爪１８，１８と同間隔で縦方向に複数個形成されており、装飾用カバー１７は本体部１に着脱自在に装着することで、係合部１６を覆うことができるものである。
【００１８】
前記吐水管２は金属製であり、図１に示すように本体部１の両環状溝１３，１３に対し回転自在に装着される円筒部２０と、該円筒部２０から上部傾斜方向に延設された吐水部２１とを備えており、該吐水部２１に形成され湯水が通過する吐水路２２は、前記本体部１に形成された湯水通水路１２と連通している。
【００１９】
前記カートリッジ３は、合成樹脂製である上ケース２３と下ケース２５とを上下に着脱自在に結合し、両ケース２３，２５の内部に、円盤型を呈しセラミックス又は合成樹脂等を素材とする一対の固定板２６と可動板３１とが、上下に摺り合わせ状に重ね合わせて配置されたものであり、図５に示すように、固定板２６は両面に貫通する給水孔２８，給湯孔２９及び吐出孔３０が穿設され、この給水孔２８は前記本体部１の水用通孔８に連通し、給湯孔２９は湯用通孔９に連通し、吐出孔３０は湯水通水路１２を介して、本体部１の外周面に回転自在に装着された吐水管２の吐水路２２に連通するように対応させてある。
【００２０】
前記可動板３１は、固定板２６と比較してひと回り外径が小さく、下部摺設面３２を固定板２６と向かい合わせて摺動させることで、前記給水孔２８又は給湯孔２９のどちらか一方或いは両方と連通して水，湯を前記吐出孔３０へ供給する混合室３３を両面に貫通して形成し、該混合室３３には通過する湯水の通水音を低減するための網３４を介在させている。
【００２１】
図１に示すように、前記可動板３１の混合室３３には、パッキン３５を介して上部から円盤型のスライダー３６が水密的に嵌合され、該スライダー３６の上面で中心より偏心した位置には、上部を開口した軸受部３７が形成されている。スライダー３６の上部に嵌合されたアームガイド３８は、中央の垂直方向に開口した挿通孔３９内で棒状のアーム４０を、該アーム４０の水平方向に穿設された軸孔４１に挿通したピン４２を支点に揺動自在に支持し、該アーム４０は上部が挿通孔３９を経てアームガイド３８から突出しており、この突出したアームガイド３８の上下方向略中央から両側に鍔部４３を水平方向に突出させて形成し、下端の係合部４４は前記スライダー３６の軸受部３７に係合している。
【００２２】
前記アーム４０の上部にはビス４５によりレバー５が結合され、該レバー５を上下方向に操作すると、アーム４０はピン４２を中心に回転し、アーム４０の係合部４４とスライダー３６の軸受部３７との係合により、スライダー３６と嵌合した可動板３１が固定板２６上を直線方向に摺動して、固定板２６の給水孔２８，給湯孔２９と、可動板３１の混合室３３とが連通し、吐水管２から吐水される湯水の流量が調節される。
【００２３】
また、レバー５を左右方向に回転操作すると、レバー５とアーム４０とが一体的に回転し、アーム４０の係合部４４とスライダー３６の軸受部３７との係合により、可動板３１が固定板２６上を摺動して、混合室３３と給水孔２８，給湯孔２９の位置関係が移動し、吐水管２から吐水される湯水の温度が調節される。
【００２４】
上記構成の混合水栓はカウンターＢに固定されている。そして例えばカートリッジの保守，点検を行なうにはレバー５及びカートリッジカバー４を本体部１から外す必要がある。また、カートリッジカバー４を本体部１から外すには、本体部１が共回りしないように保持する必要がある。この場合、本体部１の下部に装着されている装飾用カバー１７を外し、本体部１に形成された係合部１６にスパナ等の工具を掛け、本体部１が回転しないように保持する。続いてカートリッジカバー４を緩めれば本体部１から外され、カートリッジ３を取り出して保守，点検を行なうことができる。
【００２５】
保守，点検が終了し、再びカートリッジ３を本体部１に装着する場合は、カートリッジ３を本体部１の上部に配置した後に、前述と同様に工具を係合部１６に掛け、本体部１が回転しないように保持した状態で、カートリッジカバー４を本体部１の雄ねじ部１５に螺着すればよい。続いて装飾用カバー１７により係合部１６を覆い、第１カバー１７ａと第２カバー１７ｂとは、互いの係止爪１８と係止孔１９の係合により装着される。
【００２６】
以上のように本発明では、混合水栓の本体部は、カートリッジカバーを本体部に着脱する際に本体部が回転しないようにするための工具係合用の係合部が形成されており、本体部は合成樹脂製であるため傷が付きやすいが、係合部は装飾用カバーで覆われるので、美観を損なうことがないものである。
【００２７】
図６は装飾用カバーの別の実施例である。この実施例の装飾用カバー４６では、第１カバー４６ａと第２カバー４６ｂとは、互いに向かい合う側面の縦方向に取り付けられたヒンジ４７の縦軸４７ａを中心として回転自在に連結されている。第１カバー４６ａはヒンジ４７の他端側の側面から開口方向に向け、水平方向に互いに間隔を設けて３枚の横板４８が形成され、中央の横板４８は先端外周面に係止爪４８ａを形成している。また、第２カバー４６ｂは外周面に前記係止爪４８ａが弾力的に係合される係合孔４９が穿設されている。
【００２８】
本実施例では、装飾用カバーの両カバーはヒンジにより連結されているので、互いにばらばらに分解することがなく、カバーを失う恐れがない。
【００２９】
図７乃至図９はさらに別の実施例である。この実施例では、本体部１ａの下部外周面に形成された平面多角形の係合部１６ａは、工具が係合される係合面１６ｂが横長の長方形状であり、直径方向に互いに向かい合う少なくとも２箇所の係合面１６ｂに、上側係止孔１６ｃと下側係止孔１６ｄとが傾斜方向の対向線上に形成されている。装飾用カバー５０は、第１カバー５０ａと第２カバー５０ｂとは互いに同一形状であり、両カバー５０ａ，５０ｂの一方の側面には、縦方向の上側のみに上側係止爪５１が側面から突出して形成され、他方の側面には、縦方向の下側のみに下側係止爪５２が側面から突出して形成されている。
【００３０】
この実施例では図９に示すように、装飾用カバー５０の各係止爪５１，５２が係合する各係止孔１６ｃ，１６ｄが、本体部１ａの係合部１６ａに形成されているため、両カバー５０ａ，５０ｂを互いに係合して本体部１ａに装着した場合に、係止孔１６ｃ，１６ｄ及び係止爪５１，５２が外部に露出することがなく、装飾用カバー５０は外周面に突起物がなく、美観をさらに向上させることができる。しかも、第１カバーと第２カバーとは互いに同一形状とすることができ、部品の共通化を図ることにより生産性が向上し、管理を良好に行なうことができる。
【００３１】
【発明の効果】
本発明によると請求項１では、混合水栓の本体部は、カートリッジカバーを本体部に着脱する際に本体部が回転しないようにするための工具係合用の係合部が形成されており、本体部は合成樹脂製であるため、工具を係合部に係合させると傷が付きやすいが、係合部は装飾用カバーで覆われるので、美観を損なうことがない。
【００３２】
請求項２では、装飾用カバーは、係止爪と係止孔との係合により本体に着脱自在に装着され、誰にでも容易に装着したり、脱着することができる。
【００３３】
請求項３では、装飾用カバーは第１カバーと第２カバーとを互いに回転自在に連結したので、互いにばらばらに分解することがなく、カバーを失うことがない。
【００３４】
請求項４では、装飾用カバーは外周面に係止孔及び係止爪が外部に露出しないので、美観をさらに向上させることできる。
【００３５】
請求項５では、装飾用カバーの両カバーは同一物品であり、生産性が向上し、管理を良好に行なうことができる。
【００３６】
請求項６では、装飾用カバーは、メッキ又は着色を施したので、美観を向上させることができる。
【図面の簡単な説明】
【図１】本発明の混合水栓の側断面図である。
【図２】図１におけるＸ−Ｘ線の部分拡大断面図である。
【図３】本体部の拡大平面図である。
【図４】本体部及び装飾用カバーの拡大斜視図である。
【図５】図１のカートリッジに収容された固定板及び可動板の拡大分解斜視図である。
【図６】別の実施例による装飾用カバーの斜視図である。
【図７】別の実施例の混合水栓で、本体部及び装飾用カバーの拡大斜視図である。
【図８】図７の異なる方向から見た場合の本体部及び装飾用カバーの拡大斜視図である。
【図９】装飾用カバーの本体部への装着時の説明図である。
【符号の説明】
１，１ａ                      本体部
３                            カートリッジ
４                            カートリッジカバー
８                            水用通孔
９                            湯用通孔
１２                          湯水通水路
１６，１６ａ                  係合部
１６ｂ                        係合面
１７，４６                    装飾用カバー
１７ａ，４６ａ                第１カバー
１７ｂ，４６ｂ                第２カバー
１８，４８ａ                  係止爪
１９，４９                    係止孔
５０                          装飾用カバー
５０ａ                        第１カバー
５０ｂ                        第２カバー
５１                          上側係止爪
５２                          下側係止爪
Ａ                            混合水栓
Ｂ                            カウンター
【図１】
2004150568.tif 000003
【図２】
2004150568.tif 000004
【図３】
2004150568.tif 000005
【図４】
2004150568.tif 000006
【図５】
2004150568.tif 000007
【図６】
2004150568.tif 000008
【図７】
2004150568.tif 000009
【図８】
2004150568.tif 000010
【図９】
2004150568.tif 000011